【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
炎症計測装置は、
白血球の集合体であるＬＧにより炎症を計測する事を特徴とする装置であり、
前記LGにおいて、
LGを検索、または／と、計測するためのLG見本手段、
を備える事を特徴とする炎症計測装置。
【請求項２】
炎症計測装置は、
白血球の集合体であるＬＧにより炎症を計測する事を特徴とする装置であり、
前記LGにおいて、
ＮＬ核（Core New Leukocyteを略してCNL）の大きさまたは、
ＣＮＬ中の新白血球（ＮＬ）の数のいづれか一方またはその両方を
計測するＣＮＬ計測手段を
備える事を特徴とする炎症計測装置。
【請求項３】
請求項２の炎症計測装置は、
前記CNLの大きさと対応する組織障害の大きさを判定する組織障害判定手段を
備えることを特徴とする炎症計測装置。
【請求項４】
炎症計測装置は、
白血球の集合体であるＬＧにより炎症を計測する事を特徴とする装置であり、
前記LGにおいて、
少なくとも新好中球（ＮＬ）または旧好中球（ＯＬ）のいづれかまたはその組み合わせによる、大きさ、数、または、ベクトルのいづれかまたはその組み合わせなどLG情報を分析するLG分析手段
を備える事を特徴とする炎症計測装置。
【請求項５】
請求項１から請求項４のいずれかの炎症計測装置は、
（死滅率β値やその一因子であるζ値もふくむ）劣化時定数を計測する劣化時定数計測手段
を備えることを特徴とする炎症計測装置。
【請求項６】
請求項１または請求項５のいづれかの炎症計測装置は、
ＬＧA値またはＬＧＲ値のいづれか一方またはその両方を分析し病気の本態であるマクロ的臨床所見、症状を求めるLeukocyte Chart手段
を備える事を特徴とする炎症計測装置。
【請求項７】
請求項１から請求項６のいづれかの炎症計測装置は、
前記LG内のベクトル場（LG内でのOLからLG内のNLにより形成される時空間連続体である時系列連続体としてのベクトル場）により、
時系列連続体の逆時系列方向を検出することにより病気の本態の位置を検出する病態位置検出手段
または/と
LG A値の大きな方向を示す又はＮＬ値の大きな方向を示す病気の重傷度部位を検出する重症部位検出手段、  
を備える事を特徴とする炎症計測装置。
【請求項８】
請求項１から請求項７のいづれかの炎症計測装置は、
過去の炎症の状態を計測する過去炎症状態計測手段
または/と
現在の炎症の状態を計測する現在炎症状態計測手段
または/と
将来の炎症の状態予測を行うdN/dt値、その解または抗原抗体連立方程式の解のいづれか
または、その組み合わせによるリスク炎症状態予測計測手段
におけるいづれかまたはその組み合わせを有する炎症計測装置。
【請求項９】
請求項１から請求項８のいづれかの炎症計測装置は、
前記炎症に対応した感染を特定するために備えるInfection Source手段（I.S.手段）
を備える事を特徴とする炎症計測装置。
【手続補正２】
【補正対象書類名】明細書
【補正対象項目名】０００４
【補正方法】変更
【補正の内容】
【０００４】
１〔請求項１の手段〕
請求項１の炎症計測装置は、
白血球の集合体であるＬＧにより炎症を計測する事を特徴とする装置であり、
前記LGにおいて、
LGを検索、または／と、計測するためのLG見本手段、
を備える事を特徴とする。
２〔請求項２の手段〕
請求項２の炎症計測装置は、
白血球の集合体であるＬＧにより炎症を計測する事を特徴とする装置であり、
前記LGにおける、
ＮＬ核（Core New Leukocyteを略してCNL）の大きさまたは、
ＣＮＬ中の新白血球（ＮＬ）の数のいづれか一方またはその両方を
計測するＣＮＬ計測手段を
備える事を特徴とする。
３〔請求項３の手段〕
請求項３の炎症計測装置は、
前記CNLの大きさと対応する組織障害の大きさを判定する組織障害判定手段を
備えることを特徴とする。
４〔請求項４の手段〕
請求項４の炎症計測装置は、
白血球の集合体であるＬＧにより炎症を計測する事を特徴とする装置であり、
前記LGにおいて、
少なくとも新好中球（ＮＬ）または旧好中球（ＯＬ）のいづれかまたはその組み合わせによる、大きさ、数、または、ベクトルのいづれかまたはその組み合わせなどLG情報を分析するLG分析手段
を備える事を特徴とする。
５〔請求項５の手段〕
請求項５の炎症計測装置は、
（死滅率β値やその一因子であるζ値もふくむ）劣化時定数を計測する劣化時定数計測手段
を備えることを特徴とする。
６〔請求項６の手段〕
請求項６の炎症計測装置は、
ＬＧA値またはＬＧＲ値のいづれか一方またはその両方を分析し病気の本態であるマクロ的臨床所見、症状を求めるLeukocyte Chart手段
を備える事を特徴とする炎症計測装置。
７〔請求項７の手段〕
請求項７の炎症計測装置は、
前記LG内のベクトル場（LG内でのOLからLG内のNLにより形成される時空間連続体である時系列連続体としてのベクトル場）により、
時系列連続体の逆時系列方向を検出することにより病気の本態の位置を検出する病態位置検出手段
または/と
LG A値の大きな方向を示す又はＮＬ値の大きな方向を示す病気の重傷度部位を検出する重症部位検出手段、  
を備える事を特徴とする。
８〔請求項８の手段〕
請求項８の炎症計測装置は、
過去の炎症の状態を計測する過去炎症状態計測手段
または/と
現在の炎症の状態を計測する現在炎症状態計測手段
または/と
将来の炎症の状態予測を行うdN/dt値、その解または抗原抗体連立方程式の解のいづれか
または、その組み合わせによるリスク炎症状態予測計測手段
におけるいづれかまたはその組み合わせを有する事を特徴とする。

９〔請求項９の手段〕
請求項９の炎症計測装置は、
前記炎症に対応した感染を特定するために備えるInfection Source手段（I.S.手段）
を備える事を特徴とする。
【手続補正３】
【補正対象書類名】明細書
【補正対象項目名】０００５
【補正方法】変更
【補正の内容】
【０００５】
１〔請求項１の作用および効果〕
請求項１の炎症計測装置は、
白血球の集合体であるＬＧにより炎症を計測する事を特徴とする装置であり、
前記LGにおいて、
LGを検索、または／と、計測するためのLG見本手段、
を備える事を特徴とするので、
LGを容易に発見でき、その大きさ，数、性質などLG情報を容易に分類でき、LG、NL、AL、ANL、OL、IL、INL、ANLC、ALC、CNL、LGA、LGR、などを容易に計測できる。ゆえに、炎症を正確に計測できる。
２〔請求項２の作用および効果〕
請求項２の炎症計測装置は、
白血球の集合体であるＬＧにより炎症を計測する事を特徴とする装置であり、
前記LGにおける、
ＮＬ核（Core New Leukocyteを略してCNL）の大きさまたは、
ＣＮＬ中の新白血球（ＮＬ）の数のいづれか一方またはその両方を
計測するＣＮＬ計測手段を
備える事を特徴とするので、
炎症を正確に把握できる。
さらに、
現在の炎症の程度と、それにもとづく組織障害の尺度であるCNLの大きさや数がわかる。
ここで、活性白血球（Active Leukocyte：AL）と新白血球（New Leukocyte）は、同義である。ゆえに、CNL(Core New Leukocyte)とALC(Active
Leukocyte Core)も同義である。
ゆえに
〜炎という炎症を本態とする病気を計測、分析または診断でき、
それにより〜炎という炎症を本態とする病気を的確に治療、予防できる。
一例として、歯周病を確定できる。
３〔請求項３の作用および効果〕
請求項３の炎症計測装置は、
前記CNLの大きさと対応する組織障害の大きさを判定する組織障害判定手段を
備えることを特徴とするので、
傷害の程度を判定できる。
ゆえに
〜炎という炎症を本態とする病気を計測、分析または診断でき、
それにより〜炎という炎症を本態とする病気を的確に治療、予防できる。
一例として、歯周病を確定できる。
４〔請求項４の作用および効果〕
請求項４の炎症計測装置は、
白血球の集合体であるＬＧにより炎症を計測する事を特徴とする装置であり、
前記LGにおいて、
少なくとも新好中球（ＮＬ）または旧好中球（ＯＬ）のいづれかまたはその組み合わせによる、大きさ、数、または、ベクトルのいづれかまたはその組み合わせなどLG情報を分析するLG分析手段
を備える事を特徴とするので、
LGの性質がわかるので、炎症の性質がわかる。
５〔請求項５の作用および効果〕
請求項５の炎症計測装置は、
（死滅率β値やその一因子であるζ値もふくむ）劣化時定数を計測する劣化時定数計測手段
を備えることを特徴とするので、
炎症のタイムスケールがわかる。
６〔請求項６の作用および効果〕
請求項６の炎症計測装置は、
ＬＧA値またはＬＧＲ値のいづれか一方またはその両方を分析し病気の本態であるマクロ的臨床所見、症状を求めるLeukocyte Chart手段
を備える事を特徴とするので、
炎症の臨床所見、症状が判明する。
７〔請求項７の作用および効果〕
請求項７の炎症計測装置は、
前記LG内のベクトル場（LG内でのOLからLG内のNLにより形成される時空間連続体である時系列連続体としてのベクトル場）により、
時系列連続体の逆時系列方向を検出することにより病気の本態の位置を検出する病態位置検出手段
または/と
LG A値の大きな方向を示す又はＮＬ値の大きな方向を示す病気の重傷度部位を検出する重症部位検出手段、  
を備える事を特徴とするので、
病態位置や重症部位が判明する。
ゆえに
炎症の種々な状況把握ができ、さらにそれにより
〜炎という炎症を本態とする病気を計測、分析または診断でき、
それにより〜炎という炎症を本態とする病気を的確に治療、予防できる。
８〔請求項８の作用および効果〕
請求項８の炎症計測装置は、
過去の炎症の状態を計測する過去炎症状態計測手段
または/と
現在の炎症の状態を計測する現在炎症状態計測手段
または/と
将来の炎症の状態予測を行うdN/dt値、その解または抗原抗体連立方程式の解のいづれか
または、その組み合わせによるリスク炎症状態予測計測手段
におけるいづれかまたはその組み合わせを有する事を特徴とするので、
炎症の過去、現在、未来が判明する。
ゆえに、
炎症の種々な状況把握ができ、さらにそれにより
〜炎という炎症を本態とする病気を計測、分析または診断でき、
それにより〜炎という炎症を本態とする病気を的確に治療、予防できる。
９〔請求項９の作用および効果〕
請求項９の炎症計測装置は、
前記炎症に対応した感染を特定するために備えるInfection Source手段（I.S.手段）
を備える事を特徴とするので、
炎症に対応した感染が判明する。
旧請求項の作用効果
１〔請求項１の作用および効果〕
請求項１のＬＧ計測装置は、
少なくとも新好中球（ＮＬ）または旧好中球（ＯＬ）のいづれかまたはその組み合わせを計測する事を特徴とするＬＧ計測手段を
備える事を特徴とするので、
炎症を正確に計測する事ができる。
２〔請求項２の作用および効果〕
請求項２のＬＧ計測装置は、
少なくとも新好中球（ＮＬ）または旧好中球（ＯＬ）のいづれかまたはその組み合わせを分析する事を特徴とするＬＧｍｅｔｈｏｄによるLG分析手段を
備える事を特徴とするので、
炎症免疫応答を正確に分析、診断する事ができ、それにより的確な炎症免疫治療、予防ができる。
３〔請求項３の作用および効果〕
請求項３のＬＧ計測装置は、
前記ＮＬ核（Core  New Leukocyte）の大きさまたは
ＣＮＬ中のＮＬの数のいづれか一方またはその両方を
計測するＣＮＬ計測手段を
備える事を特徴とするので、
現在の炎症の程度と、それにもとずく組織障害の尺度であるＣＮＬの大きさや数が解る。
４〔請求項４の作用および効果〕
請求項４のＬＧ計測装置は、
前記大きさと対応する組織障害の大きさを判定する組織障害判定手段を
備えることを特徴とするので、
組織障害が解る。
５〔請求項５の作用および効果〕
請求項５のＬＧ計測装置は、
（死滅率β値やその一因子であるζ値もふくむ）劣化時定数を計測する劣化時定数計測手段を
備えることを特徴とするので、
炎症のタイムスケールが解る。
これにより時系列における炎症が判明する尺度ができるのである。
６〔請求項６の作用および効果〕
請求項６のＬＧ計測装置は、
病気の本態であるマクロ的臨床所見、症状を求めるＬＧA値またはＬＧＲ値のいづれか一方またはその両方を計測するＬＧＡＲ計測手段を
備える事を特徴とするので、
ＬＧＡにより現在炎症の程度を始めとした炎症の種々な状況が判明する。
ＬＧＲにより過去のＬＧＡが解る。
その両方により過去から現在のＬＧＡ値が解る。
７〔請求項７の作用および効果〕
請求項７のＬＧ計測装置は、
LG内のベクトル場（LG内でのOLからLG内のNLにより形成される時空間連続体である時系列
連続体としてのベクトル場）により、
時系列連続体の逆時系列方向を検出することにより病気の本態の位置を検出する病態位置検出手段
または/と
LG A値の大きな方向を示す又はＮＬ値の大きな方向を示す病気の重傷度部位を検出する重症部位検出手段、  
または/と
過去の炎症の状態を計測する過去炎症状態計測手段
または/と
現在の炎症の状態を計測する現在炎症状態計測手段
または/と
将来の炎症の状態予測を行うdN/dt値、その解または抗原抗体連立方程式の解のいづれかまたは、その組み合わせによるリスク炎症状態予測計測手段
におけるいづれかまたはその組み合わせを有する事を特徴とするので、
上記炎症の種々な状況把握ができ、さらにそれにより
〜炎という炎症を本態とする病気を計測、分析または診断でき、
それにより〜炎という炎症を本態とする病気を的確に治療、予防できる。
８〔請求項８の作用および効果〕
請求項４のＬＧ計測装置は、
アレルギーまたは通常状態を判定するアレルギー状態判定手段
を備える事を特徴とするので、
アレルギー状態を計測、分析または診断できる。
それによりアレルギーを的確に治療、予防できる。
９〔請求項９の作用および効果〕
請求項９のＬＧ計測装置は、
前記ＮＬ核（Nuclear New Leukocyte）の大きさを検出するＮＮＬ検出手段
または、
組織障害の大きさを判定する組織障害判定手段
または、
病気の本態であるマクロ的臨床所見、症状を求めるＬＧA値を計測するＬＧＡＲ計測手段のいづれかまたはその組み合わせにより歯周病を確定診断できる歯周病確定診断手段
を備える事を特徴とするので、歯周病を確定できる。
１０〔請求項１０の作用および効果〕
請求項１０のＬＧ計測装置は、
ＮＬを検出することによる歯周炎確定手段
を備える事を特徴とするので、
歯周炎を確定できる。
１１〔請求項１１の作用および効果〕
請求項１１のＬＧ計測装置は、
歯周ポケットが実験場手段である事を特徴とするので、
従来、腹腔内などでの体内での実験場と違い、無侵襲で炎症免疫応答の実験ができる。
具体的には、炎症免疫応答物質のサンプリングが無侵襲ででき、各種薬物、抗原物質の投与も無侵襲でできる。それらの応答、解析、診断を請求項１から請求項１０などにて行える。